(57)【要約】【課題】電源をオン／オフするための操作に応じて、電源オフ時のレンズ位置を保持するか、またはレンズ位置を保持せずに起動時には所定のレンズ位置にレンズを駆動するかを切り換える撮像装置を提供する。【解決手段】電源スイッチ７２の操作または表示部２８の開閉に応じて、電源をオン／オフするシステム制御５０を備えるビデオカメラ１００を設ける。システム制御部５０が、電源スイッチの操作または表示部の開閉のうちのいずれに応じて電源をオン／オフしたかによって、電源起動時に、レンズを電源がオフされた時のレンズ位置になるように駆動するか、または所定のレンズ位置に駆動するかを切り換える。【選択図】図２
2015073240.tif 000002
【特許請求の範囲】
【請求項１】
レンズと、
電源スイッチと、
開閉可能に構成された表示部と、
前記電源スイッチの操作または前記表示部の開閉に応じて、電源をオン／オフする制御部とを備え、
前記制御部は、前記電源スイッチの操作または前記表示部の開閉のうちのいずれに応じて前記電源をオン／オフしたかによって、電源起動時に、前記レンズを前記電源がオフされた時のレンズ位置になるように駆動するか、または所定のレンズ位置に駆動するかを切り換える
ことを特徴とする撮像装置。
【請求項２】
前記制御部は、前記電源スイッチの操作または前記表示部の開閉のうちのいずれに応じて前記電源をオフしたかによって、電源起動時に、前記レンズを前記電源がオフされた時のレンズ位置になるように駆動するか、または所定のレンズ位置に駆動するかを切り換える
ことを特徴とする請求項１に記載の撮像装置。
【請求項３】
前記制御部は、
前記電源スイッチの操作に応じて前記電源をオフした場合は、前記電源がオフされた時のレンズ位置を記憶手段に記憶し、
前記表示部の開閉に応じて前記電源をオフした場合は、前記記憶手段に記憶されているレンズ位置をクリアし、
電源起動時に、前記記憶手段にレンズ位置が記憶されている場合は、前記レンズを当該レンズ位置になるように駆動し、
電源起動時に、前記記憶手段内のレンズ位置がクリアされている場合は、前記レンズを所定のレンズ位置に駆動する
ことを特徴とする請求項１または請求項２に記載の撮像装置。
【請求項４】
前記制御部は、
前記電源スイッチの操作に応じて前記電源をオフした場合は、前記電源がオフされた時のレンズ位置を記憶手段に記憶し、
前記表示部の開閉に応じて前記電源をオフした場合は、所定のレンズ位置を前記記憶手段に記憶し、
電源起動時に、前記レンズを前記記憶手段に記憶されているレンズ位置になるように駆動する
ことを特徴とする請求項１または請求項２に記載の撮像装置。
【請求項５】
前記制御部は、前記電源スイッチの操作または前記表示部の開閉のうちのいずれに応じて前記電源をオンしたかによって、電源起動時に、前記レンズを前記電源がオフされた時のレンズ位置になるように駆動するか、または所定のレンズ位置に駆動するかを切り換える
ことを特徴とする請求項１に記載の撮像装置。
【請求項６】
前記制御部は、
前記電源をオフする時に、前記レンズの現在のレンズ位置を記憶手段に記憶し、
前記電源スイッチの操作に応じて前記電源をオンした場合は、前記レンズを前記記憶手段に記憶されたレンズ位置になるように駆動し、
前記表示部の開閉に応じて前記電源をオンした場合は、前記レンズを所定のレンズ位置になるように駆動する
ことを特徴とする請求項５に記載の撮像装置。
【請求項７】
前記レンズは、ズームレンズまたはフォーカスレンズである
ことを特徴とする請求項１乃至６のいずれか１項に記載の撮像装置。
【請求項８】
前記レンズは、ズームレンズとフォーカスレンズであり、
前記制御部は、
前記フォーカスレンズの駆動による焦点調節が手動設定状態である時に電源をオフする場合には、前記電源スイッチの操作または前記表示部の開閉のうちのいずれに応じて当該電源をオフするかにかかわらず、前記ズームレンズのレンズ位置と前記フォーカスレンズのレンズ位置とを前記記憶手段に記憶し、前記電源をオンする場合は、前記ズームレンズを前記記憶手段に記憶されたズームレンズのレンズ位置になるように駆動し、前記フォーカスレンズを前記記憶手段に記憶されたフォーカスレンズのレンズ位置になるように駆動する
ことを特徴とする請求項７に記載の撮像装置。
【請求項９】
レンズと、電源スイッチと、開閉可能に構成された表示部と、前記電源スイッチの操作または前記表示部の開閉に応じて、電源をオン／オフする制御部とを備える撮像装置の制御方法であって、
前記制御部が、前記電源スイッチの操作または前記表示部の開閉のうちのいずれに応じて前記電源をオン／オフしたかによって、電源起動時に、前記レンズを前記電源がオフされた時のレンズ位置になるように駆動するか、または所定のレンズ位置に駆動するかを切り換える工程を有する
ことを特徴とする制御方法。
【発明の詳細な説明】
【技術分野】
【０００１】
本発明は、撮像装置およびその制御方法に関する。
【背景技術】
【０００２】
撮像装置が、電源オフした後、電源オンした時に、電源オフ時の元のズームレンズ、フォーカスレンズの位置を保持するには、レンズリセット動作を行ってから記憶していた位置にレンズを戻す必要があり、その分起動時間が長くなる。起動時間を短くするために、起動時にはレンズをワイド端から動作させるようにする撮像装置が提案されている。
【０００３】
特許文献１は、電池蓋を開放することによって電源をオフする電子カメラを開示している。また、特許文献２は、手持ち撮影か否かの判断結果に応じて、起動時のレンズの駆動方法を変更する撮像装置を開示している。
【先行技術文献】
【特許文献】
【０００４】
【特許文献１】特開２００４−７２２２２号公報
【特許文献２】特開２００９−２６７４８２号公報
【発明の概要】
【発明が解決しようとする課題】
【０００５】
少ないステップで電源をオン／オフできるように、表示部２８である液晶パネルの開閉で電源のオン／オフを行う装置が考えられる。また、液晶パネルを開けたままで電源をオフしたいような使用状況を考慮し、表示部２８の開閉以外に、電源ボタンの操作で電源をオン／オフできる機能を有する装置が考えられる。
【０００６】
ここで、ユーザが、表示部２８を開き、撮影画像を表示する姿勢にしたまま、電源ボタンの操作で電源をオフした場合のように、撮影継続の意思があるときには、電源オフ時のレンズ位置を保持して起動時に復元できるようにしたほうがよい。
【０００７】
しかし、従来、電源をオン／オフするための操作に応じて、電源オフ時のレンズ位置を保持するか、または当該レンズ位置を保持せずに起動時には所定のレンズ位置にレンズを駆動することにより起動時間を短縮するかを切り換える撮像装置は提案されていない。したがって、従来は、ユーザは、電源をオフ／オンする操作を選ぶことにより、自分が所望する起動時のレンズ制御を撮像装置に行わせることができなかった。
【０００８】
本発明は、電源をオン／オフするための操作に応じて、電源オフ時のレンズ位置を保持するか、またはレンズ位置を保持せずに起動時には所定のレンズ位置にレンズを駆動するかを切り換える撮像装置の提供を目的とする。
【課題を解決するための手段】
【０００９】
本発明の一実施形態の撮像装置は、レンズと、電源スイッチと、開閉可能に構成された表示部と、前記電源スイッチの操作または前記表示部の開閉に応じて、電源をオン／オフする制御部とを備え、前記制御部は、前記電源スイッチの操作または前記表示部の開閉のうちのいずれに応じて前記電源をオン／オフしたかによって、電源起動時に、前記レンズを前記電源がオフされた時のレンズ位置になるように駆動するか、または所定のレンズ位置に駆動するかを切り換える。
【発明の効果】
【００１０】
本発明の撮像装置によれば、電源のオン／オフするための操作に応じて、電源オフ時のレンズ位置を保持するか、またはレンズ位置を保持せずに起動時には所定のレンズ位置にレンズを駆動するかを切り換えることができる。したがって、ユーザは、電源をオフ／オンする操作を選ぶことにより、自分が所望する起動時のレンズ制御を撮像装置に行わせることができる。
【図面の簡単な説明】
【００１１】
【図１】撮像装置の外観の一例を示す図である。
【図２】ビデオカメラの機能ブロック図の例である。
【図３】電源をオフする時の動作処理の例を説明するフローチャートである。
【図４】電源をオンする時の動作処理の例を説明するフローチャートである。
【図５】電源をオフする時の動作処理の例を説明するフローチャートである。
【図６】電源をオンする時の動作処理の例を説明するフローチャートである。
【発明を実施するための形態】
【００１２】
図１は、本実施形態の撮像装置の外観の一例を示す図である。図１に示す撮像装置は、ビデオカメラ１００である。図１（Ａ）は、ビデオカメラ１００を正面側から見た斜視図を示す。図１（Ａ）は、ビデオカメラ１００を背面側から見た斜視図を示す。
【００１３】
電源スイッチ７２であり、押下操作によって、電源オン、電源オフを切り換える。表示部２８は画像や各種情報を表示する表示ユニットである。表示部２８は、可動部６３を介してビデオカメラ本体と接続されている。表示部２８は、開閉可能に構成されている。表示部２８は、開閉操作によって、閉じた格納状態または開いた使用状態に移行する。
【００１４】
可動軸近辺の内部には、表示部２８の開閉を検出する開閉検出手段６４が設けられている（図２）。ビデオカメラ１００は、開閉検出手段６４による検出結果に応じて、電源のオン、オフを行う。電源オフ状態は、電源スイッチ７２と、開閉検出手段６４など一部の機能のみ動作している状態である。電源オフ状態で、開閉検出手段６４が、表示部２８が閉状態から開状態に切り替わったことを検知すると、電源制御部８０が電源オンする。同様に、電源オフ状態で、電源スイッチ７２を押すと、電源制御部８０が、電源スイッチ７２が押されたことを検知して、電源オンする。
【００１５】
また、電源オン状態で、表示部２８を閉じると、開閉検出手段６４は、表示部２８が開状態から閉状態に切り替わったことを検知し、電源制御部８０が電源オフする。同様に、電源オン状態で、電源スイッチ７２を押すと、電源制御部８０は、電源スイッチ７２が押されたことを検知して、電源オフする。
【００１６】
トリガーボタン６１は撮影指示を行うための操作部である。また、ズームレバー６２は、レンズユニット内のズームレンズを駆動し、焦点距離を変える。
【００１７】
図２は、図１に示すビデオカメラの機能ブロック図の例である。
レンズユニット１０３は、ズームレンズ、フォーカスレンズを含む。符号１０１は、絞り機能を示す。撮像部２２は、光学像を電気信号に変換するＣＣＤやＣＭＯＳ素子等で構成される。Ａ／Ｄ変換器２３は、撮像部２２から出力されるアナログ信号をデジタル信号に変換する。
【００１８】
画像処理部２４は、Ａ／Ｄ変換器２３からのデータ、又は、メモリ制御部１５からのデータに対し、所定の画素補間、縮小といったリサイズ処理や色変換処理を行う。また、画像処理部２４は、撮像された画像データを用いて所定の演算処理を行う。
【００１９】
システム制御部５０は、ビデオカメラ１００全体を制御する。システム制御部５０は、後述する不揮発性メモリ５６に記録されたプログラムを実行することで、本実施形態の各処理を実現する。符号５２は、システムメモリを示す。システムメモリ５２として、例えばＲＡＭが用いられる。システムメモリ５２には、システム制御部５０の動作用の定数、変数、不揮発性メモリ５６から読み出したプログラム等が展開される。システムタイマー５３は各種制御に用いる時間や、内蔵された時計の時間を計測する計時部である。
【００２０】
システム制御部５０は、例えば、画像処理部２４により得られた演算結果に基づいて、露光制御、焦点調節制御を行う。これにより、ＴＴＬ（スルー・ザ・レンズ）方式のＡＦ（オートフォーカス）処理、ＡＥ（自動露出）処理が行われる。画像処理部２４は、更に、撮像された画像データを用いて所定の演算処理を行い、得られた演算結果に基づいてＴＴＬ方式のＡＷＢ（オートホワイトバランス）処理も行う。
【００２１】
また、システム制御部５０は、電源スイッチ７２の操作または表示部２８の開閉に応じて、電源をオン／オフする制御部として機能する。システム制御部５０は、電源スイッチの操作または表示部の開閉のうちのいずれに応じて電源をオン／オフしたかによって、電源起動時に、レンズを電源がオフされた時のレンズ位置になるように駆動するか、または所定のレンズ位置に駆動するかを切り換える。
【００２２】
また、システム制御部は、メモリ３２、Ｄ／Ａ変換器１３、表示部２８等を制御することにより表示制御も行う。Ａ／Ｄ変換器２３からの出力データは、画像処理部２４及びメモリ制御部１５を介して、またはメモリ制御部１５を介して、メモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定時間の動画像および音声を格納するのに十分な記憶容量を備えている。また、メモリ３２は、画像表示用のメモリ（ビデオメモリ）を兼ねている。
【００２３】
Ｄ／Ａ変換器１３は、メモリ３２に格納されている画像表示用のデータをアナログ信号に変換して表示部２８に供給する。これにより、メモリ３２に書き込まれた表示用の画像データは、Ｄ／Ａ変換器１３を介して表示部２８により表示される。
【００２４】
表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示する。すなわち、表示部２８は、電子ビューファインダ（スルー画像表示）として機能する。
【００２５】
不揮発性メモリ５６は、電気的に消去・記録可能なメモリである。不揮発性メモリ５６として、例えばＥＥＰＲＯＭ等が用いられる。不揮発性メモリ５６には、システム制御部５０の動作用の定数、プログラム等が記憶される。このプログラムは、本実施形態にて後述する各種フローチャートを実行するためのプログラムである。
【００２６】
電源制御部８０は、電池検出回路、ＤＣ−ＤＣコンバータ、通電するブロックを切り換えるスイッチ回路等を含む。電源制御部８０は、電池の装着の有無、電池の種類、電池残量の検出を行う。また、電源制御部８０は、電池の装着の有無、電池の種類、電池残量の検出結果と、システム制御部５０の指示に基づいて、ＤＣ−ＤＣコンバータを制御し、必要な電圧を必要な期間、記録媒体２００を含む各処理部へ供給する。
【００２７】
電源部３０は、アルカリ電池やリチウム電池等の一次電池やＮｉＣｄ電池やＮｉＭＨ電池、Ｌｉ電池等の二次電池、ＡＣアダプター等を含む。符号１８は、メモリカードやハードディスク等の記録媒体２００とのインターフェースを示す。記録媒体２００は、メモリカード等の記録媒体である。記録媒体２００は、半導体メモリや磁気ディスク等から構成される。
【００２８】
（実施例１）
以下に、図３および図４を参照して、実施例１の撮像装置の動作について説明する。実施例１の撮像装置は、電源をオフするときの操作に応じて、次回起動時のレンズ駆動を切り換える。
【００２９】
図３は、実施例１の撮像装置が実行する、電源をオフする時の動作処理の例を説明するフローチャートである。
撮像装置が電源オン状態にある（ステップＳ３１）。この例では、ユーザは、表示部２８を開状態にして使用中であるものとする。この状態で、ユーザが電源をオフする操作を行う。ユーザは、表示部２８の開閉を行うか、または電源スイッチ７２を押すことで、電源のオフを指示する。表示部２８の開閉による電源のオフは、この例では、表示部２８を開状態から閉状態にすることによって電源をオフすることを示す。もちろん、表示部２８を閉状態から開状態にすることによって電源をオフするようにしてもよい。ユーザが表示部２８の開閉を行ったことが、開閉検出手段６４によって検出され、システム制御部５０に出力される。ユーザが電源スイッチ７２を押したことが、システム制御部５０に通知される。
【００３０】
システム制御部５０は、表示部２８の開閉による電源オフが指示されたか、または電源スイッチ７２が押されたことにより電源オフが指示されたかいずれであるかを判断する（ステップＳ３２）。表示部２８の開閉による電源オフが指示された場合は、システム制御部５０が、ズーム位置データをクリアして不揮発性メモリ５６に保存する（ステップＳ３３）。ズーム位置データは、ズーム位置を示すデータである。また、ズーム位置は、ズームレンズのレンズ位置である。
【００３１】
電源スイッチ７２が押されたことにり電源オフが指示された場合は、システム制御部５０が、現在のズーム位置を不揮発性メモリ５６に保存する（ステップＳ３４）。システム制御部が、その他の終了処理を行い、撮像装置が電源オフ状態となる（ステップＳ３５）。
【００３２】
図４は、実施例１の撮像装置が実行する、電源をオンする時の動作処理の例を説明するフローチャートである。
撮像装置が電源オフ状態にあるときに（ステップＳ４１）、ユーザが電源をオンする操作を行う。ユーザは、表示部２８の開閉を行うか、または電源スイッチ７２を押すことで、電源のオンを指示する。表示部２８の開閉による電源のオンは、この例では、表示部２８を閉状態から開状態にすることによって電源をオンすることを示す。もちろん、表示部２８を閉状態から開状態にすることによって電源をオンするようにしてもよい。ユーザが表示部２８の開閉を行ったことが、開閉検出手段６４によって検出され、システム制御部５０に出力される。ユーザが電源スイッチ７２を押したことが、システム制御部５０に通知される。そして、システム制御部５０が、電源をオンする。
【００３３】
次に、システム制御部５０が、不揮発性メモリ５６すなわち記憶手段内に保存されているデータを読み出す。そして、システム制御部５０が、読み出されたデータに基づいて、ズームレンズの位置を復元する（ステップＳ４２）。
【００３４】
システム制御部５０は、読み出されたデータが、図３のステップＳ３３においてクリアされた値か、またはステップＳ３４で保存された前回終了時のズーム位置データのいずれであるかに応じて、復元するズームレンズの位置を異ならせる。読み出されたデータが、図３のステップＳ３３においてクリアされた値である場合、システム制御部５０は、ズームレンズを初期状態のワイド端になるように駆動してリセットする。読み出されたデータが、ステップＳ３４で保存された前回終了時のズーム位置データである場合は、システム制御部５０は、ズームレンズを初期状態に駆動してリセットを行い、その後、読み出されたズーム位置データが示すズーム位置までズームレンズを駆動する。
【００３５】
ユーザが液晶画面（表示ユニット）を閉じることで電源オフして持ち運ぶ場合には、次の撮影の開始時に被写体や撮影場面が変更されることが想定される。この場合には、レンズ位置がクリアされ、初期状態にズームレンズが駆動される。一方、ユーザが、液晶画面を閉じずに電源ボタンで電源を切る操作を行った場合は、液晶画面を閉じていないことから撮影継続の意思があること、例えば、三脚などに設置し、画角を合わせて待機することなどが想定される。この場合には、電源オフ時のレンズ位置が保存され、起動時にズームレンズ位置が保存されたレンズ位置に復元される。
【００３６】
（実施例２）
以下に、図５および図６を参照して、実施例２の撮像装置の動作について説明する。実施例２の撮像装置は、電源をオンするときの操作に応じて、起動時のレンズ駆動を切り換える。
【００３７】
図５は、実施例２の撮像装置が実行する、電源をオフする時の動作処理の例を説明するフローチャートである。
撮像装置が電源オン状態にある（ステップＳ５１）。ユーザは、表示部２８の開閉を行うか、または電源スイッチ７２を押すことで、電源のオフを指示する。ユーザが表示部２８の開閉を行うと、表示部２８が開閉されたことが、開閉検出手段６４によって検出され、システム制御部５０に出力される。ユーザが電源スイッチ７２を押すと、電源スイッチ７２が押されたことがシステム制御部５０に通知される。
【００３８】
電源をオフする指示がされると、システム制御部５０は、現在のズーム位置を不揮発性メモリ５６に保存し（ステップＳ５２）、電源をオフする。システム制御部５０はその他の終了処理を行い、撮像装置が電源オフ状態となる（ステップＳ５３）。
【００３９】
図６は、実施例２の撮像装置が実行する、電源をオンする時の動作処理の例を説明するフローチャートである。
撮像装置が電源オフ状態にあるときに（ステップＳ６１）、ユーザが電源をオンする操作を行う。ユーザは、表示部２８の開閉を行うか、または電源スイッチ７２を押すことで、電源のオンを指示する。表示部２８の開閉による電源のオンは、この例では、表示部２８を閉状態から開状態にすることによって電源をオンすることを示す。もちろん、表示部２８を閉状態から開状態にすることによって電源をオンするようにしてもよい。
【００４０】
システム制御部５０は、表示部２８の開閉による電源オンが指示されたか、または電源スイッチ７２が押されたことにより電源オンが指示されたかのいずれであるかを判断する（ステップＳ６２）。表示部２８の開閉による電源オンが指示された場合は、システム制御部５０が、ズームレンズを初期状態のワイド端へ駆動してリセットする（ステップＳ６３）。
【００４１】
電源スイッチ７２が押されたことにより電源オンが指示された場合は、システム制御部５０は、不揮発性メモリ５６に保存されているデータを読み出し、読み出されたデータに基づいて、ズームレンズの位置を復元する（ステップＳ６４）。具体的には、システム制御部５０は、ズームレンズを初期状態に駆動してリセットを行い、その後、図５のステップＳ５２で保存された前回終了時のズーム位置データが示すズーム位置へズームレンズを駆動する。その後、撮像装置がオン状態となる。
【００４２】
（実施例３）
実施例１における、電源をオフするときの操作に応じてズームレンズのレンズ駆動を切り換える動作（図３，図４）を、フォーカスレンズのレンズ駆動の切り換えに適用してもよい。すなわち、実施例３では、電源オン状態の時に、表示部２８の開閉による電源オフが指示された場合は、システム制御部５０が、フォーカス位置のデータ（フォーカス位置データ）をクリアして不揮発性メモリ５６に保存する。電源スイッチ７２が押されたことにより電源オフが指示された場合は、システム制御部５０が、現在のフォーカス位置を不揮発性メモリ５６に保存する。
【００４３】
撮像装置が電源オフ状態にあるときに、ユーザが電源をオンする操作を行うと、システム制御部５０は、以下の動作を実行する。システム制御部５０が、不揮発性メモリ５６に保存されているデータを読み出し、読み出されたデータに基づいて、フォーカスレンズの位置を復元する。
【００４４】
読み出されたデータが、電源オフ時にクリアされた値（図３のＳ３３）である場合、システム制御部５０は、フォーカスレンズを初期状態の位置になるように駆動してリセットする。読み出されたデータが、電源オフ時に保存されたフォーカス位置データである場合は、システム制御部５０は、フォーカスレンズを初期状態の位置に駆動してリセットを行う。その後、システム制御部５０は、読み出されたフォーカス位置データが示すフォーカス位置までフォーカスレンズを駆動する。
【００４５】
（実施例４）
実施例４では、実施例２の、電源をオンするときの操作に応じてレンズ駆動を切り換える動作（図５，図６）を、フォーカスレンズのレンズ駆動の切り換えに適用する。
撮像装置が電源オフ状態にあるときに、ユーザが電源をオンする操作を行う。表示部２８の開閉による電源オンが指示された場合は、システム制御部５０が、ズームレンズを初期状態の位置へ駆動してリセットする。電源スイッチ７２が押されたことにより電源オンが指示された場合は、システム制御部５０は、不揮発性メモリ５６に保存されているデータを読み出し、読み出されたデータに基づいて、フォーカスレンズの位置を復元する。
【００４６】
（実施例５）
実施例５の撮像装置は、電源をオフするときの操作に応じて、図３、図４を参照して説明したのと同様に、ズームレンズおよびフォーカスレンズのレンズ駆動を切り換える。
【００４７】
（実施例６）
実施例６の撮像装置は、電源をオンするときの操作に応じて、図３、図４を参照して説明したのと同様に、ズームレンズおよびフォーカスレンズのレンズ駆動を切り換える。
【００４８】
（実施例７）
フォーカスを手動設定（マニュアルフォーカス）に設定した場合、ズームだけを動かすとフォーカスがずれてしまうレンズがある。実施例７の撮像装置は、フォーカスレンズの駆動による焦点調節が手動設定状態である時には、図３の動作に替えて、強制的にズームレンズの位置とフォーカスレンズの位置を保存して、再起動時には元に戻すように動作する。
【００４９】
（実施例８）
実施例１乃至７のいずれかに、ホワイトバランスや露出の設定状態の駆動を組み合わせてもよい。すなわち、実施例８の撮像装置は、電源をオフ／オフするときの操作に応じて、次回起動時のレンズ駆動を切り換えるとともに、ホワイトバランスや露出の設定状態も同様に切り換える。
【００５０】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
【符号の説明】
【００５１】
２８  表示部
５０  システム制御部
６４  開閉検出手段
【図１】
2015073240.tif 000003
【図２】
2015073240.tif 000004
【図３】
2015073240.tif 000005
【図４】
2015073240.tif 000006
【図５】
2015073240.tif 000007
【図６】
2015073240.tif 000008